(57)【要約】      （修正有）【課題】工場において、予め複数の鉄筋コンクリート部材を運搬可能な寸法に連結し、必要な防水処理等を施しておき、現場での作業行程を低減できるコンクリート製品を提供する。【解決手段】工場において、所定形状を有する複数のコンクリート板２それぞれの段差６を含む表面に、防水処理層７、プライマー層８を形成し、複数のコンクリート板を運搬可能な寸法に連結して、その連結部分には硬質ゴム９を介挿するとともに、繋ぎ目部分である段差６に充填層１０を形成し、充填層を含む各コンクリート板の表面に表面処理層１１を積層形成してコンクリート製品を製造する。【選択図】図３
0003224945.tif 000002
【実用新案登録請求の範囲】
【請求項１】
所定形状を有する複数の鉄筋コンクリート部材を繋ぎ目部分で連結して成るコンクリート製品であって、
工場において前記複数の鉄筋コンクリート部材それぞれの前記繋ぎ目部分を含む表面に積層して形成された防水のための防水処理層と、
前記防水処理層が形成された前記複数の鉄筋コンクリート部材の連結された前記繋ぎ目部分に充填剤が充填されて形成された充填層と、
連結された前記複数の鉄筋コンクリート部材の前記充填層を含む表面に形成された表面処理層と
を備え、
前記複数の鉄筋コンクリート部材は、運搬可能な寸法に連結されていることを特徴とするコンクリート製品。
【請求項２】
建造物または建築物に使用されることを特徴とする請求項１に記載のコンクリート製品。
【考案の詳細な説明】
【技術分野】
【０００１】
この考案は、所定形状を有する複数の鉄筋コンクリート部材を繋ぎ目部分で連結して成るコンクリート製品に関する。
【背景技術】
【０００２】
従来、道路橋などの建造物を施工する場合、複数のプレキャストコンクリート床版を分割して製造工場から施工現場に運搬し、設置後に各プレキャストコンクリート床版を接続してその上面にシート系や膜系の防水材による防水層を形成し、さらにアスファルト混合物等による舗装工事を行うことによって完成する（特許文献１参照）。
【先行技術文献】
【特許文献】
【０００３】
【特許文献１】特開２０１９−１２６９９１号公報（段落０００２ほか）
【考案の概要】
【考案が解決しようとする課題】
【０００４】
しかし、上記した従来の施工では、現場における作業行程が多く、完成までに多くの時間を要するため、現場での作業行程を低減して効率を上げる工夫が望まれている。
【０００５】
この考案は上記課題に鑑みなされたものであり、工場において、予め複数の鉄筋コンクリート部材を運搬可能な寸法に連結し、必要な防水処理等を施しておき、現場での作業行程を低減できるようにすることを目的とする。
【課題を解決するための手段】
【０００６】
上記した目的を達成するために、本考案に係るコンクリート製品は、所定形状を有する複数の鉄筋コンクリート部材を繋ぎ目部分で連結して成るコンクリート製品であって、工場において前記複数の鉄筋コンクリート部材それぞれの前記繋ぎ目部分を含む表面に積層して形成された防水のための防水処理層と、前記防水処理層が形成された前記複数の鉄筋コンクリート部材の連結された前記繋ぎ目部分に充填剤が充填されて形成された充填層と、連結された前記複数の鉄筋コンクリート部材の前記充填層を含む表面に形成された表面処理層とを備え、記複数の鉄筋コンクリート部材は、運搬可能な寸法に連結されていることを特徴としている。
【０００７】
また、本考案に係るコンクリート製品は、建造物または建築物に使用されるとよい。
【考案の効果】
【０００８】
この考案によれば、工場において、予め複数の鉄筋コンクリート部材を運搬可能な寸法に連結し、必要な防水処理等を施しておくため、現場での作業行程を低減することができ、現場での作業効率の向上を図ることができる。
【図面の簡単な説明】
【０００９】
【図１】本考案に係るコンクリート製品の一実施形態の平面図である。
【図２】図１の一部のある状態の切断正面図である。
【図３】図１の一部の異なる状態の切断正面図である。
【考案を実施するための形態】
【００１０】
本考案に係るコンクリート製品の一実施形態について、図１ないし図３を参照して説明する。
【００１１】
図１は例えばスラブ橋に使用されるスラブ１を示しており、このスラブ１は、運搬可能な寸法範囲内に収まるように、複数の鉄筋コンクリート部材であるプレキャストコンクリート板２を連結し、各コンクリート板２にプレストレスを与えるために、各コンクリート板２の内部に緊張材であるＰＣ鋼線３を貫設し、コンクリート板２の所定箇所に凹部４を複数形成し、各凹部４にＰＣ鋼線３の端部を固定するアンカーヘッドを収容して構成されている。ここで、緊張材として、ＰＣ鋼線３のほか、総ネジＰＣ鋼棒、ＰＣ鋼撚り線、多重撚りＰＣ鋼撚り線、異形ＰＣ鋼線、異形ＰＣ鋼撚り線、連続繊維補強材、炭素繊維撚り線、ＣＦＲＰ（炭素繊維強化プラスチック）ロッド、脂肪族ポリアミド繊維強化プラスチックロッドなどを適宜選択して使用することができる。
【００１２】
ここで、端部に位置する凹部４には、左方または右方のいずれか一方から凹部４内に導出されたＰＣ鋼線３の端部を固定する図示省略のアンカーヘッド配設され、それ以外の各凹部４には、左方および右方それぞれから凹部４内に導出されたＰＣ鋼線３の端部を固定するアンカーヘッドが配設されている。そして、ＰＣ鋼線３の両端を引っ張って所定の張力を与えた状態で、アンカーヘッドにより、ＰＣ鋼線３の端部を凹部４において固定し、ＰＣ鋼線３が元に戻ろうとすることによるプレストレスが各コンクリート板２に与えられ、その後、凹部４内にセメント系、ガラス系、合成樹脂系のグラウトが充填されて凹部４が埋められる。なお、図１中の５は、複数のコンクリート板２を連結するために、隣接するコンクリート板２の対向面に予め形成された凹所内にガイドピンが埋設されて成るせん断キーである。
【００１３】
ところで、図２に示すように、各コンクリート板２それぞれの繋ぎ目部分には、コンクリート板２の幅方向にわたる段差６が形成され、各コンクリート板２それぞれの段差６を含む表面に研磨による下地処理が施された後、ウレタンの塗布による防水処理層７およびプライマーの塗布によるプライマー層８が順次積層形成される。
【００１４】
さらに、図３に示すように、防水処理層７、プライマー層８が形成されたコンクリート板２の繋ぎ目部分である段差６側の側面が突き合わされ状態で複数のコンクリート板２が連結され、その繋ぎ目には硬質ゴム９が介挿されるとともに、段差６には充填剤としてシリコーンが充填されて充填層１０が形成され、その後、連結状態の各コンクリート板２充填層１０を含む表面に、プライマー、アスファルト加熱型塗膜材などが順次積層されて表面処理層１１が形成され、さらに硅砂が散布される。
【００１５】
このように、工場において、コンクリート板２それぞれの段差６を含む表面には防水処理層７、プライマー層８が形成され、複数のコンクリート板２が運搬可能な寸法に連結されて、その連結部分には硬質ゴム９が介挿されるとともに、段差６には充填層１０が形成され、充填層１０を含む各コンクリート板２の表面に表面処理層１１が積層形成されてコンクリート製品が製造され、製造されたコンクリート製品であるスラブ１が、スラブ橋の施工現場に運搬され、スラブ１とスラブ橋本体の支承部との間において、鉄筋加工や生コン打設などの所定の行程処理が施されて、スラブ橋の施工が行われる。
【００１６】
したがって、上記した実施形態によれば、予め複数の鉄筋コンクリート部材であるコンクリート板２を運搬可能な寸法に連結し、必要な防水処理等を施しておくため、現場での作業行程を低減することができ、現場での作業効率の向上を図ることができる。
【００１７】
なお、本考案は上記した実施形態に限定されるものではなく、その趣旨を逸脱しない限りにおいて上述したもの以外に種々の変更を行うことが可能である。例えば、上記した実施形態では、スラブ橋に使用するコンクリート製品を工場において製造する例を示したが、本考案は上記したスラブ橋に適用する場合に限定されるものではなく、その他の建造物や建築物にも本考案を適用することができる。
【００１８】
また、コンクリート板２それぞれの表面に形成する防水処理層や、連結したコンクリート板２の繋ぎ目部分である段差６に形成する充填層は、上記した実施形態における防水処理層７およびプライマー層８や充填層１０に限定されるものではない。さらに、連結したコンクリート板２の表面に形成する表面処理層も、上記した実施形態における表面処理層１１に限定されるものではない。
【符号の説明】
【００１９】
２    …コンクリート板
７    …防水処理層
１０  …充填層
１１  …表面処理層
【図１】
0003224945.tif 000003
【図２】
0003224945.tif 000004
【図３】
0003224945.tif 000005
【手続補正書】
【提出日】令和1年10月29日(2019.10.29)
【手続補正１】
【補正対象書類名】図面
【補正対象項目名】図３
【補正方法】変更
【補正の内容】
【図３】
0003224945.tif 000006
【手続補正書】
【提出日】令和1年11月19日(2019.11.19)
【手続補正１】
【補正対象書類名】実用新案登録請求の範囲
【補正対象項目名】請求項１
【補正方法】変更
【補正の内容】
【請求項１】
所定形状を有する複数の鉄筋コンクリート部材を繋ぎ目部分で連結して成るコンクリート製品であって、
工場において、前記複数の鉄筋コンクリート部材それぞれの前記繋ぎ目部分を含む表面に積層して形成された防水のための防水処理層と、
前記工場において、前記防水処理層が形成された前記複数の鉄筋コンクリート部材の連結された前記繋ぎ目部分に充填剤が充填されて形成された充填層と、
前記工場において、連結された前記複数の鉄筋コンクリート部材の前記充填層を含む表面に形成された表面処理層と
を備えることを特徴とするコンクリート製品。